(57)【要約】【課題】照明用笠内面部への反射材の取付けをコスト的に有利に行うことができる照明用笠内面部への反射材の取付け構造を提供する。【解決手段】反射材４の下端周壁部４ｂの周方向に間隔をおいた少なくとも３箇所が、取付け具８によって、照明用笠２の下端周壁部２ａに取り付けられることで、反射材４が照明用笠２の内面部に保持されている。【選択図】      図１
2011108607.tif 000002
【特許請求の範囲】
【請求項１】
反射材の下端周壁部の周方向に間隔をおいた少なくとも３箇所が、取付け具によって、照明用笠の下端周壁部に取り付けられることで、反射材が照明用笠の内面部に保持されていることを特徴とする、照明用笠内面部への反射材の取付け構造。
【請求項２】
前記取付け具が、照明用笠の下端周壁部を内外方向から挟み込んで挟持することで照明用笠の下端周壁部に取り付けられている請求項１に記載の、照明用笠内面部への反射材の取付け構造。
【請求項３】
前記各取付け具は、
一端側が反射材の下端周壁部に取り付けられると共に、他端側が照明用笠の下端周壁部の下方を回り込み、同照明用笠の下端周壁部の外周側に、同下端外周部との間に間隔をおいて配置されるベース材と、
該ベース材の前記他端側に内向きに螺合された雄ネジ材と、
反射板の下端周壁部と照明用笠の下端周壁部との間に介設された弾性材と
を備えたものからなり、各取付け具の雄ネジ材を内向きに螺進させていくことにより、雄ネジ材と弾性材とが、照明用笠の下端周壁部を内外方向から挟み込んで挟持することで、反射材が照明用笠の内面部に保持されている請求項１に記載の、照明用笠内面部への反射材の取付け構造。
【発明の詳細な説明】
【技術分野】
【０００１】
本発明は、照明用笠内面部への反射材の取付け構造に関する。
【背景技術】
【０００２】
高天井照明器具等において、照明用笠の内面部に反射材を設けることは、従来より行われている。
【先行技術文献】
【特許文献】
【０００３】
【特許文献１】特開２００５−３４６９６８号公報
【発明の概要】
【発明が解決しようとする課題】
【０００４】
しかしながら、既設の照明器具の笠の内面部に、後付けで、反射材を設けることは、笠と電球ホルダーの取付け形状が照明器具ごとに異なっているために、一品設計をしなければならず、コストが高くついてしまうという問題がある。
【０００５】
本発明は、上記のような問題点に鑑み、照明用笠内面部への反射材の取付けをコスト的に有利に行うことができる照明用笠内面部への反射材の取付け構造を提供することを課題とする。
【課題を解決するための手段】
【０００６】
上記の課題は、反射材の下端周壁部の周方向に間隔をおいた少なくとも３箇所が、取付け具によって、照明用笠の下端周壁部に取り付けられることで、反射材が照明用笠の内面部に保持されていることを特徴とする、照明用笠内面部への反射材の取付け構造によって解決される（第１発明）。
【０００７】
この構造では、照明用笠の下端周壁部の形状やサイズに共通性を有する多くの照明器具間において、同じ取付け具を用いて反射材の取付けを行うことができて取付けの汎用性を高めることができ、反射材の取付けを笠と電球ホルダーの取付け形状に依存させないですませることができて、照明用笠内面部への反射材の取付けをコスト的に有利に行うことができる。
【０００８】
第１発明において、前記取付け具が、照明用笠の下端周壁部を内外方向から挟み込んで挟持することで照明用笠の下端周壁部に取り付けられているとよい（第２発明）。この場合は、取付け具ひいては反射材を、照明用笠に対し、ガタツキのないしっかりとした取付け状態にすることができる。
【０００９】
第１発明において、前記各取付け具は、
一端側が反射材の下端周壁部に取り付けられると共に、他端側が照明用笠の下端周壁部の下方を回り込み、同照明用笠の下端周壁部の外周側に、同下端外周部との間に間隔をおいて配置されるベース材と、
該ベース材の前記他端側に内向きに螺合された雄ネジ材と、
反射板の下端周壁部と照明用笠の下端周壁部との間に介設された弾性材と
を備えたものからなり、各取付け具の雄ネジ材を内向きに螺進させていくことにより、雄ネジ材と弾性材とが、照明用笠の下端周壁部を内外方向から挟み込んで挟持することで、反射材が照明用笠の内面部に保持されているのもよい（第３発明）。
【００１０】
この場合は、取付け具ひいては反射材を、照明用笠に対し、ガタツキのないしっかりとした取付け状態にすることができるのみならず、照明用笠の下端周壁部の形状やサイズに多少の違いがあっても、その違いを弾性材がその弾力性によって吸収して、汎用性を高めて照明用笠内面部への反射材の取付けをコスト的により一層有利に行うことができる。
【発明の効果】
【００１１】
本発明の、照明用笠内面部への反射材の取付け構造は、以上のとおりのものであるから、照明用笠内面部への反射材の取付けをコスト的に有利に行うことができる。
【図面の簡単な説明】
【００１２】
【図１】実施形態の取付け構造を示すもので、図（イ）は照明器具の取付け状態を示す全体正面図、図（ロ）は同下面図、図（ハ）は反射材取付け部の拡大断面図である。
【発明を実施するための形態】
【００１３】
次に、本発明の実施形態を図面に基づいて説明する。
【００１４】
図１に示す実施形態の構造において、１は電球ホルダー、２は照明用笠、３は電球、４は反射材、８は取付け具である。
【００１５】
反射材４は、図１（ロ）に示すように、その内面反射面が、周方向において多角形からなると共に、基端側から先端側に向けて３段以上に角度を異ならせて開いていく多面体構造をしたものからなっていて、基端部には、電球３の基端ねじ込み部３ａを通すことのできる通孔が明けられている。
【００１６】
そして、図１（ロ）に示すように、反射材４の下端周壁部４ｂの周方向に間隔をおいた少なくとも３箇所が、図１（ハ）に示すように、取付け具８…によって、照明用笠２の下端周壁部２ａに取り付けられることで、反射材４が照明用笠２の内面部に保持された構造となっている。
【００１７】
取付け具８は、
・  一端側が、反射材４の下端周壁部４ｂにリベットやボルト９、接着剤で取り付けられると共に、他端側が、照明用笠２の下端周壁部２ａの下方を回り込み、同照明用笠２の下端周壁部２ａの外周側に、同下端外周部との間に間隔をおいて配置されるベース材１０と、
・  該ベース材１０の前記他端側に内向きに螺合された雄ネジ材１１と、
・  反射材４の下端周壁部４ｂと照明用笠２の下端周壁部２ａとの間に介設されたゴムやバネなどからなる弾性材１２と
を備えたものからなっていて、周方向３箇所に設けられた各取付け具８の雄ネジ材１１を内向きに螺進させていくことにより、雄ネジ材１１と弾性材１２とが、照明用笠２の下端周壁部２ａを内外方向から挟み込んで挟持し、それによって、反射材４を照明用笠２の内面部に保持する構成となっている。
【００１８】
この構造では、照明用笠２の下端周壁部の形状やサイズに共通性を有する多くの照明器具間において、同じ取付け具８を用いて反射材４の取付けを行うことができて取付けの汎用性を高めることができ、反射材４の取付けを笠２と電球ホルダー１の取付け形状に依存させないですませることができて、照明用笠２内面部への反射材４の取付けをコスト的に有利に行うことができる。
【００１９】
しかも、取付け具８は、照明用笠２の下端周壁部２ａを内外方向から挟み込んで挟持することで照明用笠２の下端周壁部２ａに取り付けられる構造となっているので、取付け具８ひいては反射材４を、照明用笠２に対し、ガタツキのないしっかりとした取付け状態にすることができる。
【００２０】
また、弾性材１２を採用していることにより、照明用笠２の下端周壁部の形状やサイズに多少の違いがあっても、その違いを吸収して、汎用性を高めて照明用笠２内面部への反射材４の取付けをコスト的により一層有利に行うことができる。
【符号の説明】
【００２１】
１…ホルダー
２…照明用笠
２ａ…下端周壁部
３…電球
４…反射材
４ｂ…下端周壁部
８…取付け具
１０…ベース材
１１…雄ネジ材
１２…弾性材
【図１】
2011108607.tif 000003